(57)【要約】【課題】この発明が解決しようとする問題点は、例えば糖尿病患者にとってのグルコースデータなどの特定成分の測定データに加えて、ライフスタイルデータを日誌に記録しかつ分析するための電子装置がないという点である。【解決手段】この発明は体液中に存在する特定成分のレベルを検査するための特定成分検査装置である。この特定成分検査装置は、計測器によって実行される特定成分の測定およびライフスタイルデータに関係した特定成分データを格納するメモリ２０２と、特定カテゴリのライフスタイルデータに関係したデータの即時入力を開始する開始手段１０２と、上記データの入力および移動を行うナビゲーション手段１０４と、上記データを上記メモリ２０２に転送する転送手段２５８とを含むものである。好ましくは、特定成分検査装置はグルコース計測器であり、検査対象とされる特定成分の１つはグルコースである。【選択図】        図２
2004154547.tif 000002
【特許請求の範囲】
【請求項１】
体液サンプル中に存在する特定成分を検査するための特定成分検査装置であって、
計測器によって実行される特定成分の測定に関係した特定成分データおよびライフスタイルデータを格納するメモリと、
特定カテゴリのライフスタイルデータに関係したデータの即値入力を開始する開始手段と、
前記データの入力および移動を行うナビゲーション手段と、
前記データを前記メモリに転送する転送手段と
を含む特定成分検査装置。
【請求項２】
体液サンプル中に存在する特定成分を検査するための特定成分検査装置であって、
データを格納するメモリと、
前記データの入力および移動を行うナビゲーション手段と、
前記データを前記メモリに転送する転送手段と、
表示画面上にユーザーインターフェースを作成するユーザーインターフェース作成手段とを含み、
ここで、
前記データは計測器によって実行される特定成分の測定およびライフスタイルデータに関係した特定成分データであり、
前記ライフスタイルデータはライフスタイルデータが１つまたはそれ以上のカテゴリに整理されており、
前記ユーザーインターフェースはライフスタイルデータの各カテゴリに関するサブカテゴリの項目を有しており、
前記ナビゲーション手段は前記サブカテゴリの項目を選択するのに適応しており、
前記ユーザーインターフェース作成手段は任意のサブカテゴリの項目の選択に対応して、前記サブカテゴリの項目の各選択値がユーザーインターフェースにおいて表示され、
前記ナビゲーション手段は前記選択値を選択するのに適応しており、
前記ユーザーインターフェース作成手段は選択値の選択に対応して、選択された選択値がユーザーインターフェースにおいて表示され、
前記ナビゲーション手段は前記値を選択するのに適応しており、
前記転送手段は１つまたはそれ以上の選択値を前記メモリに転送するために前記値の選択に対応している特定成分検査装置。
【請求項３】
体液サンプル中に存在する特定成分を検査するための特定成分検査装置であって、
計測器によって実行される特定成分の測定およびライフスタイルデータに関係した特定成分データを格納するメモリと、
前記データの入力および移動を行うナビゲーション手段と、
前記データを前記メモリに転送する転送手段と、
特定成分の測定が所定範囲外にある場合に、当該特定成分の測定の実行に続いて当該特定成分の測定に関係したライフスタイルデータを入力することを検査装置のユーザーに指示する指示手段と
を含む特定成分検査装置。
【請求項４】
体液サンプル中に存在する特定成分を検査するための特定成分検査装置であって、
特定成分データを格納するメモリと、
ナビゲーション手段とを含み、
ここで、
前記体液サンプルは通常個人の体の特定部位から採取されており、
前記ナビゲーション手段は前記体液サンプルが特定成分の測定の実行に続いて体の特定部位以外の他の部位から採取された場合に前記メモリ内に格納された特定成分データにフラグをたてるのに適応している特定成分検査装置。
【請求項５】
体液サンプル中に存在する特定成分を検査するための特定成分検査装置であって、
特定成分データおよびライフスタイルデータを格納するのに適したメモリと、
表示画面と、
前記データにアクセスし前記表示画面上に前記データを表示するのに適したプロセッサと、
該プロセッサによってアクセスされるべき前記データを選択するように操作されるのに適したナビゲーション手段と
を含む特定成分検査装置。
【請求項６】
体液サンプル中に存在する特定成分を検査するための特定成分検査装置内に個人のライフスタイルに関係したライフスタイルデータを格納する方法であって、
特定カテゴリのライフスタイルデータを前記特定成分検査装置に表示するステップと、
サブカテゴリのライフスタイルデータを前記特定成分検査装置に表示するステップと、
ある値を前記特定成分検査装置に入力するステップと、
前記特定成分検査装置におけるメモリ内に前記ある値を格納するステップと
を含むライフスタイルデータ格納方法。
【請求項７】
個人のライフスタイルに関係したライフスタイルデータと体液サンプル中に存在する特定成分を検査するための特定成分検査装置内に格納された特定成分データとを処理する方法であって、
あるカテゴリのデータを前記特定成分検査装置に表示するステップと、
前記カテゴリのデータからのデータを分析し、これにより分析結果を作成し、前記特定成分検査装置の表示画面上に前記分析結果を表示するステップと
を含むデータ処理方法。
【請求項８】
体液サンプル中に存在する特定成分を検査するための特定成分検査装置内に特定成分データを格納する方法であって、
通常、個人の体の特定部位から体液サンプルを採取するステップと、
前記体液サンプル中に存在する特定成分のレベルを測定するステップと、
前記特定成分検査装置におけるメモリに前記特定成分のレベルをデータとして格納するステップと、
前記体液サンプルが前記特定部位以外の他の部位から採取された場合に前記メモリ内の前記特定成分のレベルにフラグをたてるステップと
を含む特定成分データ格納方法。
【発明の詳細な説明】
【技術分野】
【０００１】
この発明は、体液サンプル中に存在する特定成分を検査し、関係する特定成分ではないライフスタイルデータを格納しかつ分析する特定成分検査装置に関するものである。この特定成分検査装置は、糖尿病患者を含む人の血中に存在するグルコース量を検査するのに好適に使用される。ライフスタイルデータは、例えば、フード（ｆｏｏｄ）摂取量、運動レベル、投薬摂取量に関係したデータまたは個人の健康に関係した他のデータを含めてもよい。このような特定成分検査装置は、例えば、個人のライフスタイルを評価することを常に必要とする医師によって使用される。
【背景技術】
【０００２】
グルコースのモニタリングは、糖尿病患者が日々の生活で行うことである。このようなモニタリングの精度は、糖尿病患者の健康および究極的には生活の質に十分に影響を及ぼしている。一般に、糖尿病患者は１日に数回、血中のグルコース量を測定して血糖レベルをモニターし制御している。血中のグルコース量を正確にかつ正規のベース上で検査しなければ、心臓血管性疾患、腎臓疾患、神経損傷および失明を含む糖尿病に関連した深刻な合併症に陥ることになる。現在、個人が少量の血液サンプルでグルコース量を検査できる多くの電子装置がある。そのようなグルコース計測器の１つは、ライフスキャン社（Ｌｉｆｅｓｃａｎ）によって製造された「ワンタッチ（登録商標）プロファイル（商標）」グルコース計測器である。
【０００３】
グルコースのモニタリングに加えて、糖尿病患者は、例えば不規則なフード摂取または運動によって悪い方向に影響を受けないようにするため、しばしばそのライフスタイルについて厳しい規制を維持しなければならない。さらに、特定の糖尿病患者を診る医師は患者個人のライフスタイルに関する詳細な情報を必要とし、これにより糖尿病をコントロールするための有効な治療または治療の変更を与える。現在、糖尿病患者個人のライフスタイルをモニターする方法の１つは、患者が自らのライフスタイルを記録する日誌をつけることであった。他の方法は、患者個人が自らのライフスタイルについての記憶している事実を信用して、その後の受診時に医師にその詳細を伝える方法である。
【０００４】
ライフスタイル情報を記録する前述の方法は、本質的に困難であり、時間を浪費し、ことによると不正確になる。日誌は患者個人によって必ずしも常に携帯されるとは限らず、必要なときに正確に完全なものにできない可能性もある。そのような日誌は小型であるので、ライフスタイルの事情の詳細なディスクリプタを必要とする詳細な情報を書き込むことが困難である。さらに、手書き入力のノートから情報を手作業で綿密に調べて解釈しなければならない医師によって質問されたときに、患者個人は自らのライフスタイルについての重要な事実をしばしば忘れてしまうことがある。日誌による分析では、日誌中の記載の意味を汲み取る、すなわち重要な情報を分離することができない。また、図式による整理または情報の要約もできない。データベースまたは他の電子システム等の二次データ格納システムへのデータの入力は、ライフスタイルデータを含む情報の二次データ記憶装置への面倒な転写を必要とするものである。データ記録の困難性は、不正確で不完全な記録を残す結果となる回顧の入力を助長する。
【０００５】
さらに、糖尿病患者個人は、しばしば診断用および治療用に患者本人に装着される複数の装置、例えばグルコース量のモニター機器および薬剤投与機器の双方をつけなければならない。従って、ライフスタイルを記録する日誌を携帯しなければならないということは、不用な余分の負荷であり、日誌へのデータの書き込みは全く時間の浪費である。
【０００６】
現在、患者個人のグルコース量を測定できると共に、上記グルコース量を他の分析用コンピュータに再現しあるいはアップロードするために格納できる多くの携帯型の電子装置が存在している。そのような装置には、ライフスタイルデータを格納するための限定された機能性を備えたローチェ・ダイアグナスティックス（ＲｏｃｈｅＤｉａｇｎｏｓｔｉｃｓ）社から入手可能なアキュ−チェック（Ａｃｃｕ―Ｃｈｅｃｋ：商標）コンプリート（Ｃｏｍｐｌｅｔｅ：商標）システムがある。しかしながら、アキュ−チェック（Ａｃｃｕ―Ｃｈｅｃｋ：商標）コンプリート（Ｃｏｍｐｌｅｔｅ：商標）システムは、計測器に格納されるライフスタイルの変数を限定的に選択することを可能にするだけである。また、上記計測器にはライフスタイルデータを入力するのを困難にさせる３つのナビゲーションボタンのみが存在している。上記計測器に予め入力された値から知的なフィードバックをすることができず、ユーザーとのインターフェースは、計測器に希にアクセスするユーザーにとって直観的に分かるものではない。
【０００７】
従って、ライフスタイルデータを日誌に記録しかつ分析するための電子装置が必要とされている。このような電子装置は、患者個人が装着し続けなければならない装置の数を増やすことがなく、また一層、直観的に分かるものであり、他の装置よりも容易に使用できるものであり、これにより患者個人が自らのライフスタイルに関する情報を記録することを促進することができる。ライフスタイルデータは、患者個人の肉体的な状態に影響を与えるかあるいは当該状態を表す可能性のある任意の定量可能な情報という意味にとられるべきである。ライフスタイルデータの例は、フード摂取、肉体的な労作（例えば、運動）、投薬摂取量および患者個人に対して行われる健康チェックである。
【０００８】
この発明に関連する文献については、発明者および出願人が検索を試みたが、開示すべきものの発見には至っていない。
【考案の開示】
【発明が解決しようとする課題】
【０００９】
この発明が解決しようとする問題点は、例えば糖尿病患者にとってのグルコースデータなどの特定成分の測定データに加えて、ライフスタイルデータを日誌に記録しかつ分析するための電子装置がないという点である。
【課題を解決するための手段および効果】
【００１０】
上述した課題を考慮し、かつこの発明の１つの側面に従って、体液サンプル中に存在する特定成分を検査するための特定成分検査装置が提供されており、この特定成分検査装置は、計測器によって実行される特定成分の測定およびに関係した特定成分データおよびライフスタイルデータを格納するメモリと、特定カテゴリのライフスタイルデータに関係したデータの入力を開始する開始手段と、上記データの入力および移動を行うナビゲーション手段と、上記データを上記メモリに転送する転送手段とを含むものである。
【００１１】
この特定成分検査装置によれば、１つのコンパクトな装置で特定成分およびライフスタイルの両方に関係したデータを容易にかつ有効に記録することができるという効果がある。また、ライフスタイルデータの入力は、特定成分の測定を当初実行する必要なしに開始手段の使用を通じて簡単に開始可能である。勿論、この特定成分検査装置がその装置の操作性に影響を及ぼす追加のライフスタイル機能なしに、糖尿病の診断および治療のためにグルコースレベル等の特定成分レベルのみを測定することに使用可能であることは認識されるはずである。逆に、この特定成分検査装置はまた、糖尿病の追跡とは独立してあるいは組み合わせて糖尿病以外の病気の診断および治療に使用可能である。
【００１２】
好ましくは、この発明の特定成分検査装置は表示画面を含むものである。ここで、上記転送手段はプロセッサであり、このプロセッサは上記メモリに格納されたデータへアクセスしかつ上記表示画面上に上記データを表示するのに適応したものである。この表示画面は図案化したオブジェクトを黒色、白色、無彩色スケールまたは有彩色で表現できる液晶表示（ＬＣＤ）画面である。改良された化学ルミネセンスおよび／またはブラックライトは従来の検査装置よりも視覚的に強調されている。従って、この特定成分検査装置は、糖尿病患者間で特に一般的である視覚障害をもつ人の使用のために改善されている。好ましくは、上記プロセッサはさらに、データ分析を実行しかつ上記表示画面上に分析結果を表示するのに適応したものである。
【００１３】
好ましくは、上記分析はデータが所定範囲外にあるか否かを決定するステップを含むものである。このような分析は、上記特定成分検査装置を用いて患者個人の状態による簡単な自己診断を可能にするものであり、これにより患者個人の状態についての自覚を増進しかつ必要な場合には自らのライフスタイルの変更を促すことが可能となる。追加情報は、データが所定範囲外にあるという決定後に速やかに追加可能である。このような構成は、ライフスタイル情報が時宜を得て入力されることで正確な診断法を保証するものである。
【００１４】
この発明の１つの実施の形態では、上記分析は所定時間にわたって上記メモリに格納されたデータを平均化するステップを含むものである。
【００１５】
好ましくは、上記ナビゲーション手段は分析用あるいは表示画面上での表示用のデータを選択するのに適応している。
【００１６】
好ましくは、特定成分データは上記検査装置を用いて患者個人によって特定成分が採取された体の部位を示すポインタを含むものである。このように、上記検査装置によって実行される測定の正確さおよび解釈は改善可能である。上記検査装置のユーザーまたは健康管理者は、上記検査装置によって実行されたデータ分析で与えられた情報をより容易にかつ正確に解釈することができる。さらに、対照溶液が検査されるべき特定成分として使用された場合には、上記対照溶液の検査から得られた特定成分データにはフラグがたてられ、当該データは上記検査装置によって実行されたいかなる分析結果にも使用されない。
【００１７】
好ましくは、上記ライフスタイルデータは、ライフスタイルの記録として上記メモリ内に格納されており、各ライフスタイルの記録は、日時の印と、ライフスタイルの事象を示すポインタと、ライフスタイルの数値とを含むものである。
【００１８】
好ましくは、上記特定成分データは、特定成分の記録として上記メモリ内に格納されており、各特定成分の記録は、日時の印と、特定成分の数値とを含むものである。
【００１９】
好ましくは、各特定成分の記録はさらに、特定成分検査装置を使用する患者個人によって特定成分サンプルが採取された体の部位を示すポインタと、ライフスタイルの事象を示すポインタと、ライフスタイルの数値とを含むものである。
【００２０】
上記日時の印（タイムスタンプ）は、各記録に関して時間および日付をマルチビット２進法で表記されてもよい。ライフスタイルの事象を示す上記ポインタは、定量化可能なライフスタイルデータの各特定タイプに対応するマルチビット２進法の値であってもよい。
【００２１】
好ましくは、上記開始手段は、特定カテゴリのライフスタイルデータに対応する複数の特定機能ボタンである。このように、特定カテゴリのライフスタイルデータに関係するライフスタイルデータの入力は迅速かつ容易である。
【００２２】
上述した課題を考慮し、かつこの発明の第２の側面に従って、体液サンプル中に存在する特定成分を検査するための特定成分検査装置が提供されており、この特定成分検査装置は、データを格納するメモリと、上記データの入力および移動を行うナビゲーション手段と、上記データを上記メモリに転送する転送手段と、表示画面上にユーザーインターフェースを作成するユーザーインターフェース作成手段とを含み、ここで、上記データは計測器によって実行される特定成分の測定およびライフスタイルデータに関係した特定成分データであり、上記ライフスタイルデータはライフスタイルデータが１つまたはそれ以上のカテゴリに整理されており、上記ユーザーインターフェースはライフスタイルデータの各カテゴリに関するサブカテゴリの項目を有しており、上記ナビゲーション手段は上記サブカテゴリの項目を選択するのに適応しており、上記ユーザーインターフェース作成手段は任意のサブカテゴリの項目の選択に対応して、上記サブカテゴリの項目の各選択値がユーザーインターフェースにおいて表示され、上記ナビゲーション手段は上記選択値を選択するのに適応しており、上記ユーザーインターフェース作成手段は選択値の選択に対応して、選択された選択値がユーザーインターフェースにおいて表示され、上記ナビゲーション手段は上記値を選択するのに適応しており、上記転送手段は１つまたはそれ以上の選択値を上記メモリに転送するために上記値の選択に対応するものである。
【００２３】
このように、全タイプのライフスタイルデータへの標準的なデータ入力のアプローチは達成され、これにより上記検査装置に馴染みのない人あるいは場合によっては上記検査装置を使用するだけのある人にとって上記ユーザーインターフェースの使用および入力を容易にしかつライフスタイルデータの処理を簡単にすることができる。これによって、ライフスタイルデータの入力に上記検査装置を使用することがまた促進される。
【００２４】
好ましくは、上記転送手段はさらに、１つまたはそれ以上の選択値：日時の印と選択された数値項目を示すポインタを上記メモリに転送するものである。
【００２５】
好ましくは、上記ユーザーインターフェース作成手段は上記ナビゲーション手段に対応しており、上記選択可能なカテゴリのデータが上記ユーザーインターフェースに表示されており、上記ナビゲーション手段は上記選択可能な項目を選択するのに適応しており、ユーザーインターフェース作成手段は上記選択可能な項目の１つの選択に対応して選択可能なカテゴリのデータに対応するメモリからのデータを表示画面上に表示するものである。
【００２６】
好ましくは、上記検査装置はさらに、上記データに関する分析を実行する分析手段を含む。ここで、各選択可能なカテゴリに関する分析項目が上記ユーザーインターフェースに表示され、上記ナビゲーション手段は上記分析項目を選択するのに適応しており、上記分析手段は上記分析項目の１つの選択に対応して上記メモリ内に格納された上記データを分析し、上記ユーザーインターフェース作成手段は上記分析手段に対応して上記表示画面上に上記分析の結果を表示するものである。上記分析結果は上記表示画面上に、例えば時間に対する異なるタイプの格納データとのグラフのように図案化されて表示可能である。
【００２７】
好ましくは、上記分析は所定の時間にわたって上記メモリ内に格納されたデータを平均化することを含む。ここで、上記所定の時間は上記分析項目の１つの選択によって決定される。
【００２８】
好ましくは、上記検査装置はさらに、１つまたはそれ以上の特定機能ボタンを含む。ここで、各特定機能ボタンはライフスタイルデータの関連したカテゴリに対応しており、上記ユーザーインターフェース作成手段は上記特定機能ボタンの１つの処理に対応して上記ユーザーインターフェースにライフスタイルデータのカテゴリに関するサブカテゴリの項目を即座に表示する。このように、特定カテゴリのライフスタイルデータに関係したライフスタイルデータの入力は迅速かつ容易である。
【００２９】
好ましくは、ライフスタイルデータの上記カテゴリは、患者個人の摂取フードに関するフードカテゴリと、患者個人への投薬に関する投薬カテゴリと、患者個人の健康チェック、健康チェック結果および／または健康状態に関する健康カテゴリと、患者個人の運動レベルに関する運動カテゴリとを含むものである。
【００３０】
この発明の第３の側面に従って、体液サンプル中に存在する特定成分を検査するための特定成分検査装置が提供されており、この特定成分検査装置は計測器によって実行される特定成分の測定およびライフスタイルデータに関係した特定成分データを格納するメモリと、上記データの入力および移動を行うナビゲーション手段と、上記データを上記メモリに転送する転送手段と、特定成分の測定が所定範囲外にある場合に、当該特定成分の測定の実行に続いて当該特定成分の測定に関係したライフスタイルデータを入力することを検査装置のユーザーに指示する指示手段とを含むものである。
【００３１】
好ましくは、上記検査装置にはさらに、表示画面が備えられており、上記プロンプト手段は上記表示画面上にメッセージを表示するのに適応しており、上記メッセージは特定成分検査装置のユーザーに上記分析測定値に関連したライフスタイルデータを入力するように促すものである。
【００３２】
好ましくは、上記転送手段はプロセッサであり、このプロセッサは選択されたライフスタイルデータおよび／または特定成分データに関する分析を実行しかつ上記表示画面上に上記分析結果を表示するのに適応したものである。
【００３３】
この発明の第４の側面に従って、体液サンプル中に存在する特定成分を検査するための特定成分検査装置が提供されており、この特定成分検査装置は特定成分データを格納するメモリと、ナビゲーション手段とを含み、ここで、上記体液サンプルは通常個人の体の特定部位から採取されており、上記ナビゲーション手段は上記体液サンプルが特定成分の測定の実行に続いて体の特定部位以外の他の部位から採取された場合に上記メモリ内に格納された特定成分データにフラグをたてるのに適応したものである。
【００３４】
好ましくは、上記ナビゲーション手段は、体の他の部位を示すポインタが上記メモリ内のその部位に関連したデータと共に格納されるように体の他の部位を上記メモリに示すのに適応したものである。
【００３５】
この発明の１つの実施の形態では、表示画面がさらに備えられており、上記ナビゲーション手段はカーソルボタンおよびＯＫ（オーケー）ボタンを含み、カーソルボタンの処理は、体の１つまたはそれ以上の他の部位に対応する当該部位の項目を表示するように上記表示画面に適応させると共に、オーケーボタンの処理は、上記体の他の部位についての情報を上記メモリに送るものである。
【００３６】
この発明の第５の側面に従って、体液サンプル中に存在する特定成分を検査するための特定成分検査装置が提供されており、この特定成分検査装置は特定成分およびライフスタイルデータを格納するのに適したメモリと、表示画面と、上記データにアクセスし上記表示画面上に上記データを表示するのに適したプロセッサと、該プロセッサによってアクセスされるべき上記データを選択するように操作されるのに適したナビゲーション手段とを含むものである。
【００３７】
好ましくは、上記プロセッサはさらに、選択されたデータに関する分析を実行しかつ上記分析の結果を上記表示画面上に表示するのに適応したものである。
【００３８】
好ましくは、上記ナビゲーション手段は、１つまたはそれ以上のナビゲーションボタンである。
【００３９】
好ましくは、上記ナビゲーションボタンは、カーソルボタンと、オーケーボタンと、戻しボタンとからなるものである。
【００４０】
この発明の１つの実施の形態では、上記メモリと外部装置との間でデータを転送するのに適応している通信手段がさらに備えられている。従って、この検査装置の使用者の診断および治療が改善される。事実、検査装置に格納されたデータは検査装置から転送可能であり、かつ世界のいずれかの地域にいる医師へ、任意的にインターネットを介して送信可能であるので、パーソナルコンピュータを使用することで、遠隔地から診断や治療用の処方を行うことが可能である。
【００４１】
好ましくは、上記検査装置はグルコース計測器であり、かつ検査される特定成分の１つはグルコースである。従って、上記検査装置を使用する患者個人の糖尿病の診断および治療は改善される。
【００４２】
この発明の第６の側面に従って、体液サンプル中に存在する特定成分を検査するための特定成分検査装置内に個人のライフスタイルに関係したライフスタイルデータを格納する方法であって、特定カテゴリのライフスタイルデータを上記特定成分検査装置に表示するステップと、サブカテゴリのライフスタイルデータを上記特定成分検査装置に表示するステップと、ある値を上記特定成分検査装置に入力するステップと、上記特定成分検査装置におけるメモリ内に上記ある値を格納するステップとを含むものである。
【００４３】
この発明の第７の側面に従って、個人のライフスタイルに関係したライフスタイルデータと体液サンプル中に存在する特定成分を検査するための特定成分検査装置内に格納された特定成分データとを処理する方法であって、あるカテゴリのデータを上記特定成分検査装置に表示するステップと、上記カテゴリのデータからのデータを分析し、これにより分析結果を作成し、上記特定成分検査装置の表示画面上に上記分析結果を表示するステップとを含むものである。
【００４４】
好ましくは、上記方法はさらに、上記データを分析する前に上記データを分析する時間を表示するステップを含み、データ分析ステップは上記分析時間にわたって上記データカテゴリからデータを平均化することを含むものである。
【００４５】
この発明の第８の側面に従って、体液サンプル中に存在する特定成分を検査するための特定成分検査装置内に特定成分データを格納する方法であって、通常、個人の体の特定部位から体液サンプルを採取するステップと、上記体液サンプル中に存在する特定成分のレベルを測定するステップと、上記特定成分検査装置におけるメモリに上記特定成分のレベルをデータとして格納するステップと、上記体液サンプルが上記特定部位以外の他の部位から採取された場合に上記メモリ内の上記特定成分のレベルにフラグをたてるステップとを含むものである。
【００４６】
好ましくは、上記メモリ内の上記特定成分レベルにフラグをたてるステップは、上記メモリ内に上記特定成分レベルを有する上記体の他の部位を示すポインタを格納することを含むものである。
【００４７】
この発明は、血液等の体液サンプルを採取し、当該体液サンプルの分析を実行し、分析結果を格納し、ライフスタイルデータを入力しかつ当該入力データを格納する手段を含む検査装置を与える。
【００４８】
この発明は、血液を採取・分析することおよび患者個人の日々の生活に関する他の情報を記録することに含まれる複数のステップを一元化した単純なプロセスを１つの検査装置に実装することによって、患者個人のライフスタイルを容易にモニターすることができる。
【発明を実施するための最良の形態】
【００４９】
この発明は図示された実施の形態に関して以下に記述されるであろう。この発明の属する技術分野における通常の知識を有する者（以下、当業者という）は、この発明が多くの異なる用途および実施の形態で実施可能であり、ここに記述された特定の実施の形態への用途に特に限定されるものではないことを正当に評価するであろう。特に、この発明は採血に関連して以下に議論されるであろうが、当業者は上記装置がグルコースに加えて他の流体または特定成分に使用されるように変更可能であると認識するであろう。
【００５０】
図１を参照すると、個人（患者個人）の血中のグルコース量を検査するための検査装置（特定成分検査装置）１００が示されている。検査装置１００は、特定カテゴリのライフスタイルデータに関連したデータ入力を開始するための開始手段１０２、特に特定機能ボタン１０８、１１０、１１２および１１４と、データの入力およびナビゲーションを行うためのナビゲーション手段１０４、詳細にはナビゲーションボタン１１８、１２０および１２２とを外側に含むものである。ライフスタイルデータは患者個人の日々のライフスタイルに関連している任意の情報である。図１に示された実施の形態では、４つのカテゴリ、すなわちフード、投薬、健康および運動のカテゴリに分割されている。これらのカテゴリは患者個人のフード摂取、薬物の使用、健康チェックの実施および全身の健康状態および運動レベルにそれぞれ関連している。さらに、検査装置１００には、測定済みのグルコース量を表示しかつライフスタイルに関連した情報の検査装置１００への入力を容易にするための液晶表示画面１０６が含められている。
【００５１】
ライフスタイルデータの各カテゴリは関連した特定機能ボタンを有しており、それを操作することで、操作された特定機能ボタンが関係するライフスタイルカテゴリに対応するデータの入力シーケンスが即座に開始される。上記特定機能ボタン１０２の各々が関係するカテゴリは、図案化されることによって特定機能ボタン１０２の表面上に示されている。フードカテゴリは「ナイフとフォーク」という慣例的なアイコンによってフード特定機能ボタン１０８上に示されている。投薬特定機能ボタン１１０、健康特定機能ボタン１１２および運動特定機能ボタン１１４上には、上記と同様の適当な表示が存在している。他の実施の形態では、複数の特定機能ボタンはその表面上に触知可能なアイコンを有してもよく、このような触知可能なアイコンは少し見えるか、あるいは全く見えない患者個人による検査装置１００の操作を容易にするものである。検査装置１００のスイッチが消されているときに特定機能ボタン１０２の１つを操作することで、検査装置１００のスイッチが即座に入ってデータ入力シーケンスが開始される。
【００５２】
特定機能ボタン１０２は、検査装置１００のユーザーがライフスタイルデータを入力するために複雑で不慣れなメニューシステムを操縦する必要がないことを保証する。その代わりに、適切なデータ入力シーケンスを即座に入力するために、ユーザーは特定機能ボタン１０２の１つを単に押す必要があるにすぎない。必要な特定機能ボタンはボタン表面上の図案化されたアイコンから容易に決定できる。情報ボタン１１６はもう１つの特定機能ボタンであるが、特定カテゴリのライフスタイルデータに関係していない。その代わりに、上記情報ボタン１１６を押すと、ユーザーが検査装置１００内に格納されたデータを即座に見て分析できる。このようなデータは検査装置１００内に格納された任意のデータ、例えば先に測定されたグルコース量または入力済みのライフスタイル情報であってもよい。
【００５３】
ナビゲーションボタン１０４は、オーケーボタン１１８と、戻しボタン１２０と、カーソルボタン１２２とを含むもので、ユーザーが表示画面１０６上に表示されたユーザーインターフェース２５０を介してナビゲートすることを可能にすることによって検査装置１００内に格納されたデータの入力および分析を容易にするものである。カーソルボタン１２２は上下の両方向に対応しており、上方操作部１２２ａと下方操作部１２２ｂとを有している。
【００５４】
検査装置１００のスイッチは特定機能ボタン１０２のいずれか１つまたは戻しボタン１２０を押すことによって入れられる。さらに、検査装置１００のスイッチは、検査細片が検査細片ポート１２４内に挿入されたときに自動的に入れられる。検査細片ポートは検査細片上に配された血液サンプル中に存在するグルコース量を測定するためのものである。検査装置１００のスイッチは、戻しボタン１２０を所定時間、押えつけることによって消すことができる。検査装置１００の表示画面１０６はバックライトを含むもので、このバックライトはオーケーボタン１１８を所定時間、押えつけることによって点灯または消灯できる。
【００５５】
さらに、検査装置１００の一側面には、接続用リード線に取り付けられたコネクタを受け入れることで検査装置１００がパーソナルコンピュータ等の外部装置に連結されることを可能にする通信ポート１２６がある。適切なソフトウエアを実行するパーソナルコンピュータは、セットアップ情報（例えば、現在の日時および言語）の入力および変更を可能にするばかりでなく、他の分析の実行や検査装置１００によって実行される機能の表示をも可能にする。さらに、パーソナルコンピュータは、高度の分析機能を実行するか、あるいはデータを、任意的に遠隔地での進歩した診断および治療のため、インターネットを介して他のパーソナルコンピュータに転送することができるようにしてもよい。このように、開業医による糖尿病の進歩した治療および診断は、検査装置１００とパーソナルコンピュータとの連結を可能にすることによって促進される。
【００５６】
図２を参照すると、検査装置１００内のレイアウトが示されている。検査装置はプロセッサ２００を内包しており、図１の検査装置１００におけるプロセッサ２００は３２ビットの限定命令セット計算機（ＲＩＳＣ）であるマイクロコンピュータである。プロセッサはメモリ２０２に対して入出力（Ｉ／Ｏ）ポート２１４を介して双方向に接続されており、図１の検査装置１００におけるメモリは電気的消去・書込み可能ピーロム（ＥＥＰＲＯＭ）である。プロセッサ２００には、入出力ポート２１４を介して、通信ポート１２６、ナビゲーションボタン１０４、特定機能ボタン１０２および液晶表示画面ドライバ２３６が接続されている。通信ポート１２６は逐次プロセッサ２００に接続されており、これによってメモリ２０２とパーソナルコンピュータ等の外部装置との間のデータ転送を可能にするものである。ナビゲーションボタン１０４および特定機能ボタン１０２は直接プロセッサ２００に接続されている。プロセッサ２００は液晶表示画面ドライバ２３６を介して表示画面１０６を制御している。
【００５７】
特定用途向け集積回路（ＡＳＩＣ）２０４は、検査細片ポート１２４内に挿入された検査細片上に配された血液サンプルからグルコース量の測定を容易にするのに必要な電子回路を実行する。内部におけるクロスチェックする目的で、アナログ電圧は特定用途向け集積回路２０４に供給され、かつ内部のＡ／Ｄ変換器２１６を介してプロセッサ２００によって測定されることができる。
【００５８】
プロセッサ２００は、プロセッサコア２０８と、コンピュータコードを含む読出し専用記憶素子（ＲＯＭ）２１０と、ランダムアクセスマシン（ＲＡＭ）２１２と、クロック２１８とをさらに内包しており、これらは、プロセッサ２００、入出力ポート２１４およびＡ／Ｄ変換器２１６に外部接続する回路素子を制御するものである。
【００５９】
図３を参照すると、検査装置１００の機能的態様の層構造が示されている。ユーザーインターフェース作成手段２５２は検査装置１００の表示画面１０６上にユーザーインターフェース２５０を作成する。ナビゲーション手段１０４（詳細には、記述された実施の形態ではナビゲーションボタン１０４）および開始手段１０２（詳細には、記述された実施の形態では特定機能ボタン１０２）はユーザーがユーザーインターフェース２５０と対話することを可能にする。転送手段２５８は、ユーザーインターフェース作成手段２５２から指示があったときは、メモリ２０２内に格納されたデータをユーザーインターフェース２５０に表示するためにユーザーインターフェース作成手段２５２に戻す。分析手段２５４は、ユーザーインターフェース作成手段２５２からの指示下で、メモリ２０２内に格納されたデータに関する分析を実行し、その分析の結果をユーザーインターフェース２５０に表示するためにユーザーインターフェース作成手段２５２に戻す。測定済みのグルコース量が所定範囲外にあるときには、プロンプト手段２５６は、検査装置１００内に挿入された検査細片上に配された血液サンプルからのグルコース量の測定に続いて検査装置１００のユーザーにライフスタイルデータを入力するように促すメッセージを表示するように、ユーザーインターフェース作成手段２５２に対して指示する。
【００６０】
図４はユーザーインターフェース作成手段２５２によって作成されかつ表示画面１０６上に表示された一般的なユーザーインターフェース２５０を示す正面図である。選択可能オブジェクト３０４はユーザーインターフェース２５０に示されている。ユーザーインターフェース作成手段２５２はナビゲーション手段１０４（この実施の形態ではナビゲーションボタン１０４）の操作時にユーザーインターフェース２５０に適応している。
【００６１】
選択可能オブジェクト３０４はカーソルボタン１２２を操作することによって強調表示される。ユーザーインターフェース作成手段２５２は選択可能オブジェクト３０４が次々に強調表示されるようにユーザーインターフェース２５０に対応している。図示した実施の形態では、選択可能オブジェクト３０４はハイライトバー３０６によって強調表示されており、このハイライトバー３０６は強調表示された選択可能オブジェクト３０８を囲む矩形領域の中身を白黒反転させている。タイトル３１４および直近で操作された特定機能ボタン１０２に関係した図案化されたアイコン３１６はユーザーインターフェース２５０に表示される。タイトル３１４および図案化されたアイコン３１６の双方はユーザーインターフェース２５０に現に表示されている画面に対応している。上方操作部１２２ａまたは下方操作部１２２ｂ上のカーソルボタン１２２を操作することで選択可能オブジェクト３０４を通してハイライトバー３０６を上方または下方へ移動させることになる。しかしながら選択可能なオブジェクト３０８は、また、所定時間にユーザーインターフェース２５０に表示される選択可能オブジェクト３０８だけが強調表示されるものとしてみなされるものであると簡単に正当に評価されるはずである。このような場合には、上方操作部１２２ａまたは下方操作部１２２ｂ上のカーソルボタン１２２を操作することで、ユーザーインターフェース作成手段２５２をユーザーインターフェース２５０に適応させるため、現在強調表示されている選択可能オブジェクト３０８が隠れるようになると共に、前の選択可能オブジェクト３１２または次の選択可能オブジェクト３１０が表示される。強調表示された選択可能オブジェクト３０８はオーケーボタン１１８を作動させることによって選択される。
【００６２】
ここに記述されたユーザーインターフェース２５０の概略ナビゲーションでは、戻しボタン１２０を操作することで、特に指示がない限り、概ね、ユーザーインターフェース作成手段２５２に対し、オーケーボタン１１８の先の操作以前にユーザーインターフェース２５０が前の状態に戻される。これによってメモリ２０２に格納されオーケーボタン１１８の操作以前から不変のデータが残るように保証される。
【００６３】
図５を参照すると、ライフスタイルデータの特定カテゴリに関係した特定機能ボタン１０２の１つを作動させることで、上記特定カテゴリのライフスタイルデータ用のライフスタイルデータ入力シーケンス４００が開始される。一般化されたライフスタイルデータ入力シーケンス４００は図５に関連して以下に記述される。
【００６４】
各カテゴリのライフスタイルデータに関し、ユーザーインターフェース作成手段２５２は、入力済みの現在のライフスタイルデータが現在の日時のものか、あるいは他の日時のものかについて照会するためにユーザーインターフェース２５０を作成する。２つの選択可能オブジェクト３０４、すなわち時間項目４０２はユーザーインターフェース２５０に表示される。項目Ａ（４０２ａ）は現在の日時を示し、項目Ｂ（４０２ｂ）は「他の時」というメッセージを表示する。ライフスタイルデータ入力シーケンス４００全体にわたって、特定機能ボタン１０２の１つを操作することによって選択されたカテゴリのライフスタイルデータに対応するタイトル３１４および図案化されたアイコン３１６の双方がユーザーインターフェース２５０に示される。このように、検査装置１００のユーザーは上記タイトル３１４および図案化されたアイコン３１６がユーザーインターフェース２５０内のどの辺りにあるかを即座に認識できる。従って、特に戻しボタン１２０と組み合わせた場合におけるユーザーインターフェース２５０の使用およびナビゲーションの容易さが改善されている。
【００６５】
項目Ａ（４０２ａ）が選択された場合には、現在のライフスタイルデータ入力シーケンス４００内に入力されたライフスタイルデータを格納するための日時情報として現在の日時が使用される。
【００６６】
項目Ｂ（４０２ｂ）が選択された場合には、ユーザーインターフェース作成手段２５２は日時選択シーケンスを開始して現在のライフスタイルデータ入力シーケンス４００内に入力されたライフスタイルデータを格納するための日時情報を設定する。日時選択シーケンスは、ユーザーインターフェース作成手段２５２が表示画面１０６上の選択可能な日付および日付の選択を表示し、次にユーザーインターフェース作成手段２５２が表示画面１０６上の選択可能な時間およびライフスタイルデータの入力に関する時間の選択を表示することを含む。
【００６７】
日時情報の選択に続いて、ユーザーインターフェース作成手段２５２はユーザーインターフェース２５０を変更して、各カテゴリのライフスタイルデータに関するサブカテゴリ項目４０４である選択可能オブジェクトを表示する。ユーザーインターフェース作成手段２５２は、選択可能なサブカテゴリ項目４０４の１つの選択に対応しており、このため、選択可能オブジェクトの更なる一組、すなわち詳細には、選択されたサブカテゴリ項目４０４ａに適した選択可能な数値項目４０６が表示画面２５０に表示される。上記選択可能な数値項目４０６が選択可能なサブカテゴリ項目４０４の横に並んで表示されるか、あるいはユーザーインターフェース２５０の別の画面に全面的に表示され得ることの良さが分かることになる。
【００６８】
強調表示された選択可能な数値項目４１０の選択時に、数量的あるいは記述的であってもよい選択可能な数値４０８は上述したようにながめられかつ選択されることが可能である。選択可能な数値４０８は、図４に示されたように、選択可能な数値項目４０６の横に並んで示されるか、あるいはユーザーインターフェース２５０の別の画面に示されるかのいずれかである。戻しボタン１２０を操作することで、現在選択されているサブカテゴリ項目４０４ａについて選択可能な数値が選択されることなしに、ユーザーが選択可能な他の数値項目４０６を強調表示することを可能にする。選択可能な所望の数値項目の全てが一度選択される（すなわち、選択可能な数値項目のリストの全体がスクロールされるか、あるいは数値入力される）と、ユーザーインターフェース作成手段２５２に対応する転送手段２５８はオーケーボタン１１８が操作されたことを認識して検査装置１００のメモリ２０２に対して直接、所定のサブカテゴリのライフスタイルデータについての１つまたはそれ以上の数値４０８を転送する。「保存（ｓａｖｅ）」専用の選択可能な数値項目４１２がオプションとしてあってもよい。この選択は検査装置１００のメモリ２０２に対して直接、所定のサブカテゴリのライフスタイルデータについての１つまたはそれ以上の数値４０８を即座に転送するものである。記述的に１つまたはそれ以上の数値が入力された場合には、その後に、記述的な数値を示すポインタとしての役割を果たす数量的な値がメモリ２０２に転送される。
【００６９】
サブカテゴリ項目４０４、数値項目４１０および／または数値４０８のうちの１つは、「…」と表示されてもよい。この選択は、ゼロ値をメモリ２０２内に挿入することによって行う選択されたライフスタイルカテゴリ、サブカテゴリまたは数値の項目の各々についてのデータ入力を省略するものである。このように、全てが異なるサブカテゴリを有しかつ異なるタイプのデータに対応する種々のライフスタイルカテゴリにおけるデータの入力および編集に関する一般的な手法が存在する。従って、異なるタイプのデータの処理および観察を検査装置１００に使用する方法を学ぶことは容易である。
【００７０】
図６を参照すると、一般化されたライフスタイルデータ入力シーケンス４００がフードカテゴリにおけるライフスタイルデータ入力に関連して特に詳細にここに記述される。フード特定機能ボタン１０８の操作時に、時間項目４０２は、上述したようにユーザーインターフェース２５０に表示される。日時を選択すると、フードサブカテゴリ項目５１４、詳細には「朝食」、「昼食」、「夕食」、「軽食」および「アルコール」の表示が選択用のユーザーインターフェース２５０に示される。フードサブカテゴリ項目５１４の１つが「…」と表示される。この選択はデータ入力を省略しかつユーザーインターフェース２５０に日誌５６０を表示する（以下参照）。フードサブカテゴリ項目５１４の初期表示がされているときに、不履行のフードサブカテゴリ項目５１５が強調表示される。不履行のフードサブカテゴリ項目５１５は所定の食事時間を現在時間と比較することによって決定される。このように、ユーザーインターフェース２５０は所定のユーザーと検査装置１００との知的な対話を与えるものである。
【００７１】
「朝食」、「昼食」、「夕食」および「軽食」に対応するフードサブカテゴリ項目５１４の１つを選択することで、炭水化物、脂肪、発熱エネルギおよびプロテイン摂取に関係している「炭素」、「脂肪」、「カロリ」および「プロテイン」と表示された選択可能なフード数値項目５１６がユーザーインターフェース２５０内に示される。選択可能なフード数値項目５１６の各々はカーソルボタン１２２を操作することによって次々に強調表示されかつオーケーボタン１１８を操作することによって選択されることができる。フード数値５１８では、選択可能なフード数値項目５１６の１つまたはそれ以上について入力が可能である（上述したように）。選択されかつ入力された任意のフード数値５１８は最後のフード数値５１８（すなわちプロテイン摂取に関係しているフード数値）の入力に続いてメモリ２０２に格納される。
【００７２】
「アルコール」と表示されたフードサブカテゴリ項目５１７を選択することで、ユーザーインターフェース２５０内に選択可能な数値項目５１６を表示することなしに、アルコール消費の単位に対応するポインタがメモリ２０２に即座に転送される。
【００７３】
フードカテゴリに関するライフスタイルデータの入力に続いて、日誌５６０（以下参照）がユーザーインターフェース２５０に表示される。
【００７４】
図７および図８を参照すると、一般化されたライフスタイルデータ入力シーケンス４００が投薬カテゴリにおけるライフスタイルデータの入力に関連して特に詳細にここに記述される。投薬特定機能ボタン１１０を操作したときに、時間項目４０２は、上述したように、ユーザーインターフェース２５０に表示される。日時情報を選択すると、「ピルＡ」、「ピルＢ」、「インスリンＡ」、「インスリンＢ」、「ポンプによる大量注入」、「ポンプによる注入の日々の合計」と表示された投薬サブカテゴリ項目５２４が選択用のユーザーインターフェース２５０に示される。投薬サブカテゴリ項目５２４の１つは、「投薬入力の終了」と表示される。この選択はデータ入力を省略しかつユーザーインターフェース２５０に日誌５６０を表示するものである（以下参照）。前述の投薬サブカテゴリ項目５２４のいくつかはセットアップシーケンス（以下に記述される）を通してカスタマイズ可能であり、これは特に糖尿病治療用の投薬に必ずしも関係するものではない。
【００７５】
投薬サブカテゴリ項目５２４の１つを選択することで、ユーザーインターフェースには１つまたはそれ以上の選択可能な投薬数値項目５２６が表示される。選択可能な投薬数値項目５２６の各々は、投薬数値５２６が強調表示されかつ選択された投薬サブカテゴリ項目５２４の１つに対応する１つまたはそれ以上の選択可能な投薬数値項目５２６について選択され得るようにオーケーボタン１１８を操作することによって選択可能である。入力済みの投薬数値５２８は、選択された投薬サブカテゴリおよび日時情報を示すポインタでメモリ２０２に格納される。先に選択された投薬数値５２８は、所定の選択可能な投薬数値項目および所定の時刻に関する先に入力済みの投薬数値が所定の選択可能な投薬数値項目５２６の選択時に初期段階で強調表示される投薬数値になるという点で、不履行の投薬数値として用いられる。このように、ユーザーインターフェース２５０は所定のユーザーと検査装置１００との知的な対話を与えるものである。さらに、カーソルキー１２２の使用ができるだけ少なくされている。従って、検査装置１００の概略の操作性は改善されている。
【００７６】
図９乃至図１７を参照すると、一般化されたライフスタイルデータ入力シーケンス４００が健康カテゴリにおけるライフスタイルデータの入力に関連して特に詳細にここに記述される。健康特定機能ボタン１１２を操作したときに、時間項目４０２は、上述したように、ユーザーインターフェース２５０に表示される。日時情報を選択すると、「健康ノート」および「健康チェック」と表示された健康サブカテゴリ項目５３４が選択用のユーザーインターフェース２５０に示される。
【００７７】
「健康ノート」と表示された健康サブカテゴリ項目５３４ａを選択することで、ユーザーインターフェース２５０には、「ストレス」、「低血糖感覚（ＦｅｅｌＨｙｐｏ）」、「病気」、「月経」、「休暇」および「その他」と表示された追加の選択可能な健康数値５３８が示される。選択可能な健康数値５３８の１つを選択することで、日時情報を有する対応コメントがメモリ２０２に即座に転送される。「健康ノート」と表示された健康サブカテゴリ項目５３４ａについてのライフスタイルデータの入力に続いて、日誌５６０（以下参照）がユーザーインターフェース２５０に表示される。
【００７８】
「健康チェック」と表示された健康サブカテゴリ項目５３４ｂを選択することで、ユーザーインターフェース２５０には、「ケトン類」、「ヘモグロビンＡ１ｃ」、「マイクロアルブミン」、「コレステロール」、「血圧」、「視力検査」、「脚部検査」、「体重／身長」および「医師訪問」と表示された選択可能な健康数値項目５３６が示される。
【００７９】
「ケトン類」、「ヘモグロビンＡ１ｃ」、「マイクロアルブミン」、「コレステロール」、「血圧」および「体重／身長」と表示された選択可能な健康数値項目５３６の１つを選択することで、１つまたはそれ以上の選択可能な健康数値５３８が表示され、これによって測定済みの特定成分レベル、血圧、体重または身長である１つまたはそれ以上の適切な数量的な値の入力が許される。適切で選択可能な健康数値項目５３６が存在するであろう高密度リポプロテイン（ＨＤＬ）、低密度リポプロテイン（ＬＤＬ）またはトリグリセリドレベル等の、他の予想される特定成分レベルもまた測定可能である。入力済みの健康数値５３８のいずれかは日時情報および対応の健康数値項目を示すポインタと共にメモリ２０２に格納される。
【００８０】
先に選択された健康数値５３８は、所定の選択可能な健康数値項目が所定の選択可能な健康数値項目５３６の選択時に初期段階で強調表示される健康数値５３８になるという点で、不履行の健康数値として用いられる。このように、ユーザーインターフェース２５０は所定のユーザーと検査装置１００との知的な対話を与えるものである。さらに、カーソルキー１２２の使用ができるだけ少なくされている。従って、検査装置１００の概略の操作性は改善されている。
【００８１】
「視力検査」、「脚部検査」または「医師訪問」と表示された選択可能な健康数値項目５３６の１つを選択することで、上述した選択可能な健康数値項目５３６の１つについてのマーカーがメモリ２０２に入力されるべきであるとの確認を求める確認メッセージ５３９がユーザーインターフェース２５０に表示される。オーケーボタン１１８をさらに操作することで、選択された健康数値項目についてのマークが日時情報と共にメモリ２０２に即座に格納される。
【００８２】
「健康チェック」と表示された健康カテゴリについてのライフスタイルデータの入力に続いて、「健康チェック」という健康サブカテゴリ５３４ｂについての上述した健康数値項目５３６が再度ユーザーインターフェース２５０に表示される。これにより、更なる健康チェック関連の情報は必要に応じて即座に入力可能である。
【００８３】
図１８および図１９を参照すると、一般化されたライフスタイルデータ入力シーケンス４００が運動カテゴリにおけるライフスタイルデータの入力に関連して特に詳細にここに記述される。運動特定機能ボタン１１４の操作時に、時間項目４０２は、上述したように、ユーザーインターフェース２５０に表示される。日時を選択したときに、特に「運動」および「継続時間」と表示された選択可能な運動数値項目５４６は、選択用のユーザーインターフェース２５０に示される（運動カテゴリ内にはライフスタイルデータの入力用の運動サブカテゴリ項目が存在していない）。
【００８４】
「運動」という選択可能な運動数値項目５４６ａに関し、運動強度、詳細には「弱」、「中」および「強」に対応する選択可能な運動タイプの数値５４８ａが選択可能である。さらに、「…」と表示された選択可能な運動数値が存在する。この選択は、データ入力を省略しかつユーザーインターフェース２５０に日誌５６０を表示するものである（以下参照）。選択可能な運動継続時間値５４８ａの１つの選択に続いて、「継続時間」という選択可能な運動数値項目５４６ｂが強調表示され、運動継続時間に対応する選択可能な運動継続時間値５４８ｂが入力可能である。同様に、「…」と表示された数量的な値が存在する。この選択は、データ入力を省略しかつユーザーインターフェース２５０に日誌５６０を表示するものである（以下参照）。オーケーボタン１１８を操作することによって選択可能な運動継続時間値５４８ｂの１つの選択に続いて、運動強度および運動継続時間についての値がメモリ２０２に転送される。
【００８５】
運動カテゴリについてのライフスタイルデータの入力に続いて、日誌５６０（以下参照）はユーザーインターフェース２５０に表示される。
【００８６】
図２０を参照すると、ユーザーインターフェース２５０は情報ボタン１１６の操作時にメニュー項目６００を表示する。情報ボタン１１６は、「断食情報（ＦａｓｔＦａｃｔｓ）」ボタンとして照会され、上記メニュー項目６００は「断食情報メニュー」として一括して照会される。
【００８７】
図２０に示された実施の形態では、メニュー項目６００は、「日誌」、「食事によるグルコース」、「グルコース分析」、「インスリン摂取」、「低血糖症情報（ｈｙｐｏＩｎｆｏ）」、「標準的な食事」、「健康チェック」および「ヘルプ」という題がつけられている。
【００８８】
「日誌」というメニュー項目６０１を選択することで、ユーザーインタフェース２５０に日誌（以下参照）が表示される。
【００８９】
「食事によるグルコース」というメニュー項目６０２を選択することで、測定済みのグルコース量がその当日前の各日ごとに表示されることが可能となる。分析手段２５４はメモリ２０２内に格納された測定済みのグルコース量を平均化すると共に、次の４つの時間カテゴリ：（ａ）朝食の前後、（ｂ）昼食の前後、（ｃ）夕食の前後および（ｄ）夜のうち、１つのカテゴリについて各日ごとに表示画面１０６上に表示する。上述の時間カテゴリは検査装置１００のセットアップシーケンスを通して予め定義されている。
【００９０】
「グルコース分析」というメニュー項目６０４を選択することで、測定済みのグルコース量の分析に関係する更なるメニュー項目が表示される。メモリ２０２に格納された測定済みのグルコース量は、図案化（すなわち、測定済みのグルコース量に対する日付のグラフ上に記入された点として）されるか、あるいは表中に表示されることが可能である。分析手段２５４はメモリ２０２から測定済みのグルコース量のデータを受け取り、分析結果を表示画面１０６上に表示するか、あるいは図示するためのユーザーインターフェース作成手段２５２に送る。各日ごとに測定されたグルコース量は表示可能であるか、あるいは時刻、すなわち朝食前、朝食後、昼食前、昼食後、夕食前、夕食後または夜という項目は選択可能であり、このため一日のうち特定の時刻について測定されたグルコース量だけが表示画面１０６上に記入される。さらに、メモリ２０２内に格納された全グルコース量の平均値は、多くの異なる時間（例えば、７日、１４日、３０日、６０日および９０日）にわたって算出可能であり、全てのデータは表示画面１０６上に一緒に表示される。
【００９１】
ユーザーは、戻しボタン１２０を操作することによって時間の再選択のために戻ってナビゲートすることが可能である。より長い、あるいはより短い時間はカーソルボタン１２２を操作することによって強調表示され、異なる結果を見るためにオーケーボタン１１８を操作することによって選択されることが可能である。この手順を繰り返すことで、治療の傾向あるいは治療またはライフスタイルにおける変更の効果あるいは時間外に測定されたグルコース量についての効果を特定するのを支援することができる。
【００９２】
同様に、メモリ２０２内に格納された全グルコース量の平均値は一日のうち各時間ごとに算出され（上述のように）かつ表示画面１０６上に表示されることが可能である。さらに、メモリ２０２内に格納された全グルコース量の平均値は多くの異なる時間にわたって算出されかつ、３つの運動時間、詳細には「運動前」、「運動中」および「運動後」について表示されることが可能である。他の分析方法は範囲情報が表示画面上に表示されることを可能にする。そのような範囲情報は、所定範囲の上、内、あるいは下になる平均化された測定済みのグルコース量の比例を示すものである。そのような範囲は検査装置のセットアップシーケンス（以下参照）内で決められる。上記範囲情報は、４つの所定の食事時間カテゴリ（すなわち、朝食、昼食、夕食または夜）のうち、１つの食事時間の前あるいは後のいずれかについてパーセントで観察される。
【００９３】
「インスリン摂取」というメニュー項目６０６を選択することで、投薬特定機能ボタン１１０の操作前に入力されたインスリンの摂取データに関係する更なるメニュー項目が表示される。特に、検査装置（以下参照）のセットアップシーケンスにおいて指定された種々のインスリンの異なる摂取量は、所定時間にわたって測定された量の平均として、あるいはその当日前の各日ごとの全量として観察可能である。分析手段２５４は格納されたインスリンデータを処理する。さらに、インスリンの摂取全量および平均値は表示画面１０６上で観察可能である。インスリンのタイプを指定するステップは、当該インスリンが注射器またはポンプを通じて与えられたか、あるいはピルまたは吸入で摂取したかを指定するステップを含めてもよい。
【００９４】
「低血糖症情報」というメニュー項目６０８を選択することで、糖尿病性の「低血糖」状態の事変が観察可能になる。「低血糖」状態は、糖尿病患者個人が「低血糖症状」とみなされるグルコース量以下の設定可能なグルコース量であると検査装置のセットアップシーケンスにおいて予め定義されている。糖尿病性の「低血糖」状態の事変は、次の時刻ごと：朝食前、朝食後、昼食前、昼食後、夕食前、夕食後および夜について選択された時間帯に発生した事変の数として観察される。
【００９５】
「標準的な食事」というメニュー項目６１０を選択することで、患者個人のフード消費に関係するメモリ２０２に格納された先に入力されたデータの平均が表示画面１０６上に表示されることが可能になる。分析手段２５４は、ナビゲーションボタン１０４の操作を通じてユーザーインターフェース２５０内で選択された項目に従って、格納されたフード関連データを処理する。所定時間帯：「朝食」、「昼食」、「夕食」および「軽食」ごとの炭水化物量、脂肪量、カロリ含有量およびプロテイン摂取量は選択された時間帯にわたって分析手段２５４によって平均化され、表示画面１０６上に表示されることが可能である。
【００９６】
「健康チェック」というメニュー項目６１２を選択することで、患者個人の健康診断に関係するメモリ２０２に格納された入力済みデータの平均が表示画面１０６上に表示されることが可能になる。ユーザーインターフェース２５０には、患者個人の健康診断に関係する選択可能な健康数値項目５３６が最近の診断日および測定値と共に表示されている。
【００９７】
「ヘルプ」というメニュー項目６１４（図２０には図示せず）を選択することで、検査装置１００を用いるのに役立つ問い合わせ情報が表示画面１０６上に表示されることが可能になる。問い合わせ情報は、例えば「ライフスキャンカスタマーサービスに問い合わせるか、アドレスｗｗｗ．ｌｉｆｅｓｃａｎ．ｃｏｍ．を訪れて下さい」と解釈してもよい。
【００９８】
図２１を参照すると、日誌５６０は、「日誌」というメニュー項目６０１の選択に続いてユーザーインターフェース２５０に表示される。メモリ２０２に格納された日時記録６５０は、格納されたグルコース量および／またはライフスタイルデータ等の関連したデータ記録６５２と共にユーザーインターフェース２５０に表示される。グルコース量は、これに関連するグルコースコメント６５４（以下参照）と共に表示される。ナビゲーションボタン１０４を操作することで、各データ記録６５２が日時順にスクロールされることが可能であり、その場合、次の日時および対応する記録がユーザーインターフェース２５０に表示される前に、特定の日時の各記録が次々に強調表示される。各データ記録６５２はナビゲーションボタン１０４によって次々に強調表示されかつオーケーボタン１１８を操作することによって選択されることが可能である。グルコースデータ記録６５６を選択することで、グルコースのコメント（以下参照）が選択されたグルコースデータ記録に対して入力されることが可能になる。ライフスタイルデータ記録６５８を選択することで、「編集」および「削除」と表示された２つの項目が表示される。その選択は、ナビゲーションボタン１０４の操作をほとんどすることなしに、選択されたライフスタイルデータ記録が容易に編集されるか、あるいは削除されることを可能にする。ライフスタイルデータの編集シーケンスは、編集されているライフスタイルデータ記録について入力済みの値が日誌５６０からユーザーによって予め選択されることを除けば、上述した一般化されたライフスタイルデータ入力シーケンス４００と同様である。
【００９９】
特定カテゴリのライフスタイルデータに対応する特定機能ボタン１０２の１つを操作することで、日誌５６０を見ながら、ユーザーインターフェース２５０に示されている現在日時を用いてライフスタイルデータの即時入力を可能にする。
【０１００】
図２２乃至図２４を参照すると、患者個人のグルコース量７０８を測定するための検査シーケンス７００が示されている。検査細片が検査細片ポート１２４に挿入され、これにより検査装置１００のスイッチが即座に入る。特定タイプの検査細片用の検査装置で用いられた較正パラメータに関係する不履行コード７０２は表示画面１０６に表示される。不履行コード７０２はカーソルボタン１２２を操作することによって変更されかつオーケーボタン１１８を操作することによって選択されることが可能である。特定タイプの検査細片が所定回数の機会に検査装置１００で先に使用された場合には、検査細片に対応する不履行コード７０２はメモリ２０２に格納され、検査細片ポート１２４への検査細片の挿入に続いて検査装置１００の表示画面１０６に当初表示される不履行コード７０２として使用される。上述したように、所定時間帯の経過後にコード７０２が変更されない場合には、不履行コード７０２は、ユーザーがオーケーキー１０２を操作する必要なしに、自動的に選択される。しかしながら、コード７０２の選択に続いて、戻しボタン１２０を操作することで、ユーザーが上記コード７０２を再度選択することが可能にする。
【０１０１】
上記コード７０２の選択に続いて、複数のメッセージ７０６のうち１つ、すなわち検査細片に塗布されるべき血液サンプルを求める旨のメッセージが表示画面１０６上に表示される。この段階で、カーソルボタン１２２を操作することで、表示画面１０６上には３つのメッセージ７０６、詳細には「血液塗布」、「他の部位」および「対照溶液」がスクロールされて表示される。これにより、検査装置１００は、対照溶液が検査細片に塗布されていること、あるいは血液が患者個人の体の他の部位から採取されていることを、個人の測定済みのグルコース量７０８ごとに認識することが可能である。通常、血液サンプルは患者個人の同一の部位から採取されるものである。しかしながら、例えば元々の採取部位がデリケートあるいは不都合になっている場合には、時として、他の位置、すなわち「他の部位」が用いられてもよい。例えば、通常、前腕部が用いられる場合には、他の部位は上腕部のことを意味するものとなる。血液の採取用に他の部位が用いられる場合には、測定されたグルコース量の分析が後段で実行されるときには特に、この点が認識されることが重要である。このような情報は、多くの人々を使って体の異なる部位から抽出される血液サンプル中に存在する特定成分の量の違いに対して今後行われる任意の一般的な調査に利用可能である。
【０１０２】
表示画面１０６上に適切なメッセージが表示されているときには、溶液、血液または他の異なるものが検査細片に塗布されることが可能である。検査細片への溶液の塗布に続いて、溶液中のグルコース量の測定が行われる。測定されたグルコース量７０８は表示画面１０６に表示され、日時および、血液サンプルが患者個人の他の部位から採取されたか否かという情報と共にメモリ２０２に格納される。測定されたグルコース量７０８が所定範囲外にある場合には、プロンプト手段２５６は、検査装置１００のユーザーにオーケーボタン１１８を押すように促すメッセージをユーザーインターフェース２５０に表示するように、ユーザーインターフェース作成手段２５２に対して指示する。このため、測定されたグルコース量７０８に関連付けられたグルコースコメント（以下参照）という形態のライフスタイルデータは入力可能となる。食事時間ごと、詳細には各食事時間の前後について２つの所定の目標範囲が特定されることが可能である。このように、ナビゲーションボタン１０４の１つ、この場合にはオーケーボタン１１８を押すことによって、ライフスタイルデータは即座に入力されることが可能である。従って、測定されたグルコース量７０８が所定の目標範囲外にある場合（検査装置のセットアップシーケンス（以下参照）において特定されるように）には、ユーザーはグルコースコメントを入力することを自動的に促される。このように、グルコース量が範囲外にあるとの診断は後段で医師によって改善される。
【０１０３】
測定されたグルコース量７０８が所定の「低血糖」グルコース量以下である場合には、検査装置１００のユーザーが軽食を採ることを考慮すべきか否かを尋ねる更なるメッセージが表示画面１０６上に表示される。
【０１０４】
図２５を参照すると、グルコース量７０８の測定に続いて、オーケーボタン１１８を操作することで、グルコースコメント挿入シーケンス８００が即座に開始される。グルコースコメント６５４は、多くのグルコースコメントサブカテゴリ８０２、詳細にはフードコメントサブカテゴリ、健康コメントサブカテゴリおよび運動コメントサブカテゴリのうちの１つに入る記述的なコメントである。グルコースコメント６５４は、これに関連した測定済みのグルコース量７０８と共にメモリ２０２に格納されかつ日誌５６０に表示される。このように、患者個人のフード摂取、健康レベルまたは運動レベルの状態は、グルコース量の測定時に即座に入力されることが可能である。さらに、グルコースコメント挿入シーケンス８００は、グルコースデータ記録６５６がユーザーインターフェース２５０で強調表示されたときにオーケーボタン１１８を操作することによって日誌５６０から起動されることが可能である。
【０１０５】
各グルコースコメントサブカテゴリ８０２は、カーソルボタン１２２を操作することによって次々に強調表示されかつオーケーボタン１１８を操作することによって選択されることが可能である。各グルコースコメントサブカテゴリ８０２に関しては、カーソルボタン１２２を操作することによって強調表示されかつオーケーボタン１１８を操作することによって選択されることが可能である多くの異なるグルコースコメント６５４が存在する。各グルコースコメントサブカテゴリ８０２に関しては、健康コメントサブカテゴリ８０２ｂが、１つの健康グルコースコメントの挿入に続いて、追加の健康グルコースコメントが挿入され得るようにユーザーインターフェース２５０を適応させることを除いて、グルコースコメント６５４の１つは選択されることが可能である。このように、６つまでの健康グルコースコメントは、選択されると共に、測定済みのグルコース量７０８と一緒にメモリ２０２に格納されることが可能である。
【０１０６】
フードグルコースコメントサブカテゴリ８０２ａに関して、朝食前、朝食後、昼食前、昼食後、夕食前、夕食後および夜に対応する「朝食前」、「朝食後」、「昼食前」、「昼食後」、「夕食前」、「夕食後」および「夜」というフードグルコースコメント６５４ａは選択されかつメモリ２０２に格納されることが可能である。健康グルコースコメントサブカテゴリ８０２ｂに関して、「ストレス」、「低血糖感覚（ＦｅｅｌＨｙｐｏ）」、「病気」、「月経」、「休暇」および「その他」という非常に分かり易い健康グルコースコメント６５４ｂは選択されかつメモリ２０２に格納されることが可能である。運動グルコースコメントサブカテゴリ８０２ｃに関して、「前」、「間」および「後」という非常に分かり易い運動グルコースコメント６５４ｃは選択されかつメモリ２０２に格納されることが可能である。
【０１０７】
また、ユーザーインターフェース２５０には、上記グルコースコメントサブカテゴリと共に、「保存」項目８０２ｄが表示されており、この「保存」項目８０２ｄはカーソルボタン１２２を操作することによって強調表示されることが可能である。「保存」項目８０２ｄを選択することで、転送手段２５８に、入力済みの任意のグルコースコメント６５４と共に測定済みのグルコース量７０８を日時情報を備えたメモリ２０２へ転送させる。
【０１０８】
検査装置１００は、検査装置１００が初めて使用されたとき、あるいはオーケーボタン１１８および戻しボタン１２０が一緒に操作されたときに起動されるセットアップシーケンスを有している。上記セットアップシーケンスは、ユーザーインターフェース２５０を通して検査装置１００の操作をカスタマイズすることを可能にする。日付入力、表示または分析に使用されるカスタマイズ可能な設定はメモリ２０２に格納されている。特に、カスタマイズ可能な設定の例としては、ユーザーインターフェース２５０で使用される言語、現在の日時、検査装置１００を使用している患者個人により摂取されたインスリンの投与回数および種類、インスリンポンプが検査装置１００を使用するユーザーによって使用されているか否か、および検査装置１００を使用している患者個人によって摂取されたピルの服用数および種類がある。さらに、異なる食事（すなわち、朝食前、朝食後、昼食前、昼食後、夕食前、夕食後および夜）の時刻も設定されることが可能である。検査装置１００によって表示画面１０６に表示された任意のグラフ上の水平線として示されたグルコース量の範囲は、食事時間の「前」および「後」で指定されることが可能である。さらに、「低血糖」レベルは、測定済みのグルコース量との比較に用いられるグルコース量を指定しかつ測定済みのグルコース量が「低血糖」レベル以下である場合には警告を発するように設定されることが可能である。
【０１０９】
プロンプト手段２５６もまた、測定済みの高グルコース量（６００ｍｇ／ｄＬ以上）および測定済みの低グルコース量（２０ｍｇ／ｄＬ以下）について表示画面１０６上に非カスタマイズ可能な警告を即座に発することが可能である。
【０１１０】
最後に、この発明の検査装置は、患者個人のライフスタイルについての正確な記録を維持することに関連した障害をかなり低減するものである。この発明は、血糖値ばかりでなく患者個人の予後に影響を与えそうな他の情報を記録する簡易で有効な方法を提供することによって糖尿病患者個人に対する常習的なモニタリングを促すものである。この明細書に記述された方法でグルコースおよびライフスタイル情報を記録することによって、検査装置は、有効な投薬記録システムを与える。例えば、米国では、検査装置は国立品質保証委員会（ＮＣＱＡ）の健康プラン事業主データおよび情報セット（ＨＥＤＩＳ登録商標）の基準を満たすことになる。健康プラン事業主データおよび情報セット（ＨＥＤＩＳ登録商標）は、管理された健康管理プランの実施と確実に比較することが必要な情報を患者個人に与えるための標準化された測定実施法を与えるものである。
【０１１１】
この発明が実施例のみによって単に記述されかつ変更の詳細がこの発明の範囲内でなされ得ることは、勿論理解されるはずである。
【０１１２】
この発明の具体的な実施態様は以下の通りである。
（１）  表示画面をさらに含み、上記転送手段はプロセッサであり、該プロセッサは上記メモリ内に格納された上記データにアクセスしかつ上記表示画面上に上記データを表示するのに適応している請求項１記載の特定成分検査装置。
（２）  上記プロセッサはさらに上記データに関する分析を実行しかつ上記表示画面上に上記分析結果を表示するのに適応している実施態様（１）記載の特定成分検査装置。
（３）  上記分析はデータが所定範囲外にあるか否かを決定することを含み、上記データが上記所定範囲外にある場合には、上記分析は、検査装置のユーザーからの１つまたはそれ以上のコメントの入力を求めるプロンプトを上記表示画面上に表示させる実施態様（２）記載の特定成分検査装置。
（４）  上記分析は所定の時間にわたって上記メモリ内に格納されたデータを平均化することを含む実施態様（２）または実施態様（３）記載の特定成分検査装置。
（５）  上記ナビゲーション手段は、分析用データまたは上記表示画面上に表示するデータを選択するのに適応している実施態様（２）から実施態様（４）のうち、いずれか１つに記載の特定成分検査装置。
【０１１３】
（６）  特定成分データは、特定成分検査装置を使用する患者個人によって特定成分サンプルが採取された体の部位を示すポインタを含む請求項１及び実施態様（１）から実施態様（５）のうち、いずれか１つに記載の特定成分検査装置。
（７）  上記ライフスタイルデータは、ライフスタイルの記録として上記メモリ内に格納されており、各ライフスタイルの記録は日時の印と、ライフスタイルの事象を示すポインタと、ライフスタイルの数値とを含む請求項１及び実施態様（１）から実施態様（６）のうち、いずれか１つに記載の特定成分検査装置。
（８）  上記特定成分データは、特定成分の記録として上記メモリ内に格納されており、各特定成分の記録は日時の印と、特定成分の数値とを含む請求項１及び実施態様（１）から実施態様（７）のうち、いずれか１つに記載の特定成分検査装置。
（９）  各特定成分の記録は、さらに特定成分検査装置を使用する患者個人によって特定成分サンプルが採取された体の部位を示すポインタと、ライフスタイルの事象を示すポインタと、ライフスタイルの数値とを含む請求項１及び実施態様（１）から実施態様（８）のうち、いずれか１つに記載の特定成分検査装置。
（１０）  上記開始手段は、複数の特定機能ボタンであり、各特定機能ボタンは特定カテゴリのライフスタイルデータに対応している請求項１及び実施態様（１）から実施態様（９）のうち、いずれか１つに記載の特定成分検査装置。
【０１１４】
（１１）  上記転送手段は、さらに上記メモリ内に、時刻の印と、選択値を示すポインタとを含む１つまたはそれ以上の選択値を転送する請求項２記載の特定成分検査装置。
（１２）  上記ユーザーインターフェース作成手段は上記データの選択可能なカテゴリが上記ユーザーインターフェースに表示されるように上記ナビゲーション手段に対応しており、上記ナビゲーション手段は上記選択可能なカテゴリを選択するのに適応しており、上記ユーザーインターフェース作成手段は上記選択可能なカテゴリの１つの選択に対応し、これにより、上記データの選択されたカテゴリに対応する上記メモリからのデータを上記表示画面上に表示する請求項２または実施態様（１１）記載の特定成分検査装置。
（１３）  上記データに関する分析を実行する分析手段をさらに含み、各選択可能なカテゴリに関する分析項目が上記ユーザーインターフェースに表示され、上記ナビゲーション手段は上記分析項目を選択するのに適応しており、上記分析手段は上記分析項目の１つの選択に対応して上記メモリ内に格納された上記データを分析し、上記ユーザーインターフェース作成手段は上記分析手段に対応して上記表示画面上に上記分析の結果を表示する実施態様（１２）記載の特定成分検査装置。
（１４）  上記分析は所定の時間にわたって上記メモリ内に格納されたデータを平均化することを含み、上記所定の時間は上記分析項目の１つの選択によって決定される実施態様（１３）記載の特定成分検査装置。
（１５）  １つまたはそれ以上の特定機能ボタンをさらに含み、ここで、各特定機能ボタンはライフスタイルデータの関連したカテゴリに対応しており、上記ユーザーインターフェース作成手段は上記特定機能ボタンの１つの操作に対応して上記ユーザーインターフェースにライフスタイルデータのカテゴリに関するサブカテゴリの項目を即座に表示する請求項２および実施態様（１１）から実施態様（１４）のうち、いずれか１つに記載の特定成分検査装置。
【０１１５】
（１６）  ライフスタイルデータの上記カテゴリは、患者個人の摂取フードに関するフードカテゴリと、患者個人への投薬に関する投薬カテゴリと、患者個人の健康チェック、健康チェック結果および／または健康状態に関する健康カテゴリと、患者個人の運動レベルに関する運動カテゴリとを含む請求項１、請求項２および実施態様（１）から実施態様（１５）のうち、いずれか１つに記載の特定成分検査装置。
（１７）  表示画面をさらに含み、プロンプト手段は上記表示画面上にメッセージを表示するのに適応しており、上記メッセージは特定成分検査装置のユーザーに上記分析測定値に関連したライフスタイルデータを入力するように促す請求項３記載の特定成分検査装置。
（１８）  上記所定範囲は一日のうち特定の時間にカスタマイズ可能である実施態様（１７）記載の特定成分検査装置。
（１９）  上記ナビゲーション手段は、体の他の部位を示すポインタが上記メモリ内のその部位に関連したデータと共に格納されるように体の他の部位を上記メモリに示すのに適応している請求項４記載の特定成分検査装置。
（２０）  表示画面をさらに含み、ここで上記ナビゲーション手段はカーソルボタンおよびＯＫ（オーケー）ボタンを含み、カーソルボタンの操作は、体の１つまたはそれ以上の他の部位に対応する当該部位の項目を表示するように上記表示画面に適応させると共に、オーケーボタンの操作は、上記体の他の部位についての情報を上記メモリに送る実施態様（１９）記載の特定成分検査装置。
【０１１６】
（２１）  上記プロセッサは、さらに、選択されたデータに関する分析を実行しかつ上記分析の結果を上記表示画面上に表示するのに適応している請求項５記載の特定成分検査装置。
（２２）  上記ナビゲーション手段は、１つまたはそれ以上のナビゲーションボタンである請求項５または実施態様（２１）記載の特定成分検査装置。
（２３）  上記ナビゲーションボタンは、カーソルボタンと、オーケーボタンと、戻しボタンとからなる実施態様（２２）記載の特定成分検査装置。
（２４）  上記メモリと外部装置との間でデータを転送するのに適応している通信手段をさらに含む請求項１から請求項５および実施態様（１）から実施態様（２３）のうち、いずれか１つに記載の特定成分検査装置。
（２５）  検査装置はグルコース計測器であり、かつ検査される特定成分はグルコースである請求項１から請求項５および実施態様（１）から実施態様（２４）のうち、いずれか１つに記載の特定成分検査装置。
【０１１７】
（２６）  上記データを分析する前に上記データを分析する時間を表示するステップをさらに含み、データ分析ステップは上記分析時間にわたって上記データカテゴリからデータを平均化することを含む請求項７記載の方法。
（２７）  上記メモリ内の上記特定成分レベルにフラグをたてるステップは、上記メモリ内に上記特定成分レベルを有する上記体の他の部位を示すポインタを格納することを含む請求項８記載の方法。
（２８）  添付図面に関して前述されたものと実質的に同一の特定成分検査装置。
（２９）  添付図面に関して前述されたものと実質的に同一の方法。
【産業上の利用可能性】
【０１１８】
この発明の活用例としては、例えば糖尿病患者を含む人の血中に存在するグルコース量を検査する特定成分検査装置がある。
【図面の簡単な説明】
【０１１９】
【図１】この発明の実施の一形態による特定成分検査装置を三次元で示す斜視図である。
【図２】図１に示した特定成分検査装置の主要な内部構成要素を示すブロック図である。
【図３】図１に示した特定成分検査装置の機能的な構成要素の層構造を示す模式図である。
【図４】図１に示した特定成分検査装置の表示画面上に表示されるユーザーインターフェースを一般的に示す正面図である。
【図５】図１に示した特定成分検査装置によって用いられる一般化されたライフスタイルデータの入力シーケンスを示すフローチャートである。
【図６】図５の一般化されたライフスタイルデータの入力シーケンスに従って行うフード、投薬、健康および運動に関連したライフスタイルデータの入力に関する特定データ入力シーケンスを示す模式図である。
【図７】図５の一般化されたライフスタイルデータの入力シーケンスに従って行うフード、投薬、健康および運動に関連したライフスタイルデータの入力に関する特定データ入力シーケンスを示す模式図である。
【図８】図５の一般化されたライフスタイルデータの入力シーケンスに従って行うフード、投薬、健康および運動に関連したライフスタイルデータの入力に関する特定データ入力シーケンスを示す模式図である。
【図９】図５の一般化されたライフスタイルデータの入力シーケンスに従って行うフード、投薬、健康および運動に関連したライフスタイルデータの入力に関する特定データ入力シーケンスを示す模式図である。
【図１０】図５の一般化されたライフスタイルデータの入力シーケンスに従って行うフード、投薬、健康および運動に関連したライフスタイルデータの入力に関する特定データ入力シーケンスを示す模式図である。
【図１１】図５の一般化されたライフスタイルデータの入力シーケンスに従って行うフード、投薬、健康および運動に関連したライフスタイルデータの入力に関する特定データ入力シーケンスを示す模式図である。
【図１２】図５の一般化されたライフスタイルデータの入力シーケンスに従って行うフード、投薬、健康および運動に関連したライフスタイルデータの入力に関する特定データ入力シーケンスを示す模式図である。
【図１３】図５の一般化されたライフスタイルデータの入力シーケンスに従って行うフード、投薬、健康および運動に関連したライフスタイルデータの入力に関する特定データ入力シーケンスを示す模式図である。
【図１４】図５の一般化されたライフスタイルデータの入力シーケンスに従って行うフード、投薬、健康および運動に関連したライフスタイルデータの入力に関する特定データ入力シーケンスを示す模式図である。
【図１５】図５の一般化されたライフスタイルデータの入力シーケンスに従って行うフード、投薬、健康および運動に関連したライフスタイルデータの入力に関する特定データ入力シーケンスを示す模式図である。
【図１６】図５の一般化されたライフスタイルデータの入力シーケンスに従って行うフード、投薬、健康および運動に関連したライフスタイルデータの入力に関する特定データ入力シーケンスを示す模式図である。
【図１７】図５の一般化されたライフスタイルデータの入力シーケンスに従って行うフード、投薬、健康および運動に関連したライフスタイルデータの入力に関する特定データ入力シーケンスを示す模式図である。
【図１８】図５の一般化されたライフスタイルデータの入力シーケンスに従って行うフード、投薬、健康および運動に関連したライフスタイルデータの入力に関する特定データ入力シーケンスを示す模式図である。
【図１９】図５の一般化されたライフスタイルデータの入力シーケンスに従って行うフード、投薬、健康および運動に関連したライフスタイルデータの入力に関する特定データ入力シーケンスを示す模式図である。
【図２０】特定成分検査装置に格納されたデータを表示する図１に示した特定成分検査装置のユーザーインターフェースに表示される情報メニューを示す模式図である。
【図２１】特定成分検査装置に格納されたデータを表示する図１に示した特定成分検査装置のユーザーインターフェースに表示される日誌のサンプル画面を示す模式図である。
【図２２】特定成分検査装置内に挿入される検査細片の使用を通じて図１に示した特定成分検査装置でグルコース量を測定するための検査シーケンスを示す模式図である。
【図２３】特定成分検査装置内に挿入される検査細片の使用を通じて図１に示した特定成分検査装置でグルコース量を測定するための検査シーケンスを示す模式図である。
【図２４】特定成分検査装置内に挿入される検査細片の使用を通じて図１に示した特定成分検査装置でグルコース量を測定するための検査シーケンスを示す模式図である。
【図２５】グルコース量の測定に続けて、健康、運動およびフードに関するコメントを入力するための一般化されたシーケンスを示す模式図である。
【符号の説明】
【０１２０】
１００  検査装置（特定成分検査装置）
１０２  開始手段
１０４  ナビゲーション手段
１０６  液晶表示画面（表示画面）
１０８  特定機能ボタン
１１０  特定機能ボタン
１１２  特定機能ボタン
１１４  特定機能ボタン
１１６  情報ボタン
１１８  ナビゲーションボタン
１２０  ナビゲーションボタン
１２２  ナビゲーションボタン（カーソルボタン）
１２２ａ  上方操作部
１２２ｂ  下方操作部
１２４  検査細片ポート
１２６  通信ポート
２００  プロセッサ
２０２  メモリ（ＥＥＰＲＯＭ）
２０４  特定用途向け集積回路（ＡＳＩＣ）
２０８  コア
２１０  読出し専用記憶素子（ＲＯＭ）
２１２  ランダムアクセスマシン（ＲＡＭ）
２１４  入出力ポート
２１６  Ａ／Ｄ変換器
２１８  クロック
２３６  液晶表示画面ドライバ
２５０  ユーザーインターフェース
２５２  ユーザーインターフェース作成手段
２５４  分析手段
２５６  プロンプト手段
２５８  転送手段
３０４，３０８，３１０，３１２  選択可能オブジェクト
３０６  ハイライトバー
３１４  タイトル
３１６  アイコン
４００  ライフスタイルデータ入力シーケンス
４０２  項目
４０４  サブカテゴリ項目
４０６  選択可能な数値項目
４０８  数値
４１２  保存
５１４  フードサブカテゴリ項目
５１５  不履行のフードサブカテゴリ項目
５１６  選択可能なフード数値項目
５１８  フード数値
５２４  投薬サブカテゴリ項目
５２６  投薬数値項目
５２８  投薬数値
５３４  健康サブカテゴリ項目
５３４ａ  健康サブカテゴリ項目
５３４ｂ  健康サブカテゴリ項目
５３６  健康数値項目
５３８  健康数値
５３９  確認メッセージ
５４６  運動数値項目
５４６ａ  運動数値項目
５４６ｂ  運動数値項目
５４８ａ  運動継続時間値
５４８ｂ  運動継続時間値
５６０  日誌
６０１  メニュー項目
６０２  メニュー項目
６０４  メニュー項目
６０６  メニュー項目
６０８  メニュー項目
６１０  メニュー項目
６１２  メニュー項目
６１４  メニュー項目
６５０  日時記録
６５２  データ記録
６５４  グルコースコメント
６５６  グルコースデータ記録
６５８  ライフスタイルデータ記録
７００  検査シーケンス
７０２  不履行コード
７０６  メッセージ
７０８  グルコース量
８００  グルコースコメント挿入シーケンス
８０２  グルコースコメントサブカテゴリ
８０２ａ  フードグルコースコメントサブカテゴリ
８０２ｂ  健康コメントサブカテゴリ
８０２ｃ  運動グルコースコメントサブカテゴリ
８０２ｄ  保存項目
【図１】
2004154547.tif 000003
【図２】
2004154547.tif 000004
【図３】
2004154547.tif 000005
【図４】
2004154547.tif 000006
【図５】
2004154547.tif 000007
【図６】
2004154547.tif 000008
【図７】
2004154547.tif 000009
【図８】
2004154547.tif 000010
【図９】
2004154547.tif 000011
【図１０】
2004154547.tif 000012
【図１１】
2004154547.tif 000013
【図１２】
2004154547.tif 000014
【図１３】
2004154547.tif 000015
【図１４】
2004154547.tif 000016
【図１５】
2004154547.tif 000017
【図１６】
2004154547.tif 000018
【図１７】
2004154547.tif 000019
【図１８】
2004154547.tif 000020
【図１９】
2004154547.tif 000021
【図２０】
2004154547.tif 000022
【図２１】
2004154547.tif 000023
【図２２】
2004154547.tif 000024
【図２３】
2004154547.tif 000025
【図２４】
2004154547.tif 000026
【図２５】
2004154547.tif 000027
【外国語明細書】
2004154547.tif 000028
2004154547.tif 000029
2004154547.tif 000030
2004154547.tif 000031
2004154547.tif 000032
2004154547.tif 000033
2004154547.tif 000034
2004154547.tif 000035
2004154547.tif 000036
2004154547.tif 000037
2004154547.tif 000038
2004154547.tif 000039
2004154547.tif 000040
2004154547.tif 000041
2004154547.tif 000042
2004154547.tif 000043
2004154547.tif 000044
2004154547.tif 000045
2004154547.tif 000046
2004154547.tif 000047
2004154547.tif 000048
2004154547.tif 000049
2004154547.tif 000050
2004154547.tif 000051
2004154547.tif 000052
2004154547.tif 000053
2004154547.tif 000054
2004154547.tif 000055
2004154547.tif 000056
2004154547.tif 000057
2004154547.tif 000058
2004154547.tif 000059
2004154547.tif 000060
2004154547.tif 000061
2004154547.tif 000062
2004154547.tif 000063
2004154547.tif 000064
2004154547.tif 000065
2004154547.tif 000066
2004154547.tif 000067
2004154547.tif 000068
2004154547.tif 000069
2004154547.tif 000070
2004154547.tif 000071
2004154547.tif 000072
2004154547.tif 000073
2004154547.tif 000074
2004154547.tif 000075
2004154547.tif 000076
2004154547.tif 000077
2004154547.tif 000078
2004154547.tif 000079
2004154547.tif 000080
2004154547.tif 000081
2004154547.tif 000082
2004154547.tif 000083
2004154547.tif 000084
2004154547.tif 000085
2004154547.tif 000086
2004154547.tif 000087
2004154547.tif 000088
2004154547.tif 000089
2004154547.tif 000090